【手続補正書】
【提出日】平成24年10月4日(2012.10.4)
【手続補正１】
【補正対象書類名】明細書
【補正対象項目名】００２０
【補正方法】変更
【補正の内容】
【００２０】
０．０４５＜|ＷＬ２／ｆ２|＜１．９４５  ・・・（３ａ）
０．９０５＜|ｆ１／ｆ２|＜６．０００    ・・・（４ａ）
また各実施例のズームレンズを、該ズームレンズによって形成される像を受光する固体撮像素子とを有する撮像装置に用いるときには、第４レンズ群Ｃの焦点距離をｆ４、固体撮像素子のイメージサイズの対角長をφとする。このとき、
２．５＜|ｆ４／φ|＜７．３    ・・・（５）
なる条件を満足するのが良い。条件式（５）は第４レンズ群Ｃの焦点距離をｆ４に対する固体撮像素子の対角長φとの比に関する。条件式（５）の下限を下回ると、第４レンズ群Ｃの屈折力が大きくなるため、変倍に伴う収差変動の補正が困難になる。また、広角端において第２レンズ群Ｖ１及び第３レンズ群Ｖ２に入射する軸外光線の高さが増大し、第２レンズ群Ｖ１及び第３レンズ群Ｖ２の有効径が増大し大型化してくる。また条件式（５）の上限を上回ると、第４レンズ群Ｃのズーミングの際の移動量が増大し、レンズ全長が大型化してくるので良くない。更に好ましくは条件式（５）の数値範囲を次の如く設定するのが良い。
【手続補正２】
【補正対象書類名】明細書
【補正対象項目名】００２５
【補正方法】変更
【補正の内容】
【００２５】
（数値実施例１）
面番号    r        d        nd        νd     θgF   有効径    焦点距離
1 -1079.08951   2.88000  1.834807   42.72   0.5636  103.369   -228.600
2   233.69097   1.00000  1.000000    0.00   0.0000  102.751      0.000
3   226.90494  11.92168  1.433870   95.10   0.5373  103.354    302.506
4  -308.20511  10.70000  1.000000    0.00   0.0000  103.636      0.000
5   339.23452   7.94929  1.433870   95.10   0.5373  105.748    479.860
6  -538.65223   0.20000  1.000000    0.00   0.0000  105.724      0.000
7   161.87330  10.04468  1.433870   95.10   0.5373  104.415    389.421
8  3582.51796   0.20000  1.000000    0.00   0.0000  103.913      0.000
9   108.21561   9.44880  1.433870   95.10   0.5373   99.206    390.726
10   290.02426    (可変)  1.000000    0.00   0.0000   98.276      0.000
11   197.14982   1.50000  1.882997   40.78   0.5668   40.698    -50.219
12    36.24305   6.77722  1.000000    0.00   0.0000   36.224      0.000
13   -99.80476   7.02902  1.808095   22.76   0.6307   36.054     54.038
14   -31.56279   1.50000  1.729157   54.68   0.5444   35.608    -39.405
15   343.45252    (可変)  1.000000    0.00   0.0000   33.980      0.000
16   -46.23776   3.72394  1.639799   34.46   0.5923   22.474     92.517
17   -26.85894   1.22784  1.729157   54.68   0.5444   22.996    -47.902
18  -116.81810    (可変)  1.000000    0.00   0.0000   23.775      0.000
19   -46.54544   1.30000  1.717004   47.92   0.5606   27.760    -37.391
20    64.71945   3.07714  1.846490   23.90   0.6217   29.750     86.594
21   503.70490    (可変)  1.000000    0.00   0.0000   30.253      0.000
22     開口絞り  1.38000  1.000000    0.00   0.0000   39.337      0.000
23  1246.11576   7.40356  1.607379   56.81   0.5483   40.376     79.026
24   -50.02676   0.15000  1.000000    0.00   0.0000   41.451      0.000
25   253.67223   5.08566  1.518229   58.90   0.5456   41.944    145.500
26  -107.17397   0.35000  1.000000    0.00   0.0000   41.948      0.000
27    41.46536  10.10408  1.487490   70.23   0.5300   40.354     59.386
28   -89.24120   1.50000  1.834000   37.17   0.5774   39.027   -100.594
29  1578.39698   0.15000  1.000000    0.00   0.0000   37.901      0.000
30    35.86725   7.87102  1.487490   70.23   0.5300   35.360     63.199
31  -207.69417   1.50000  1.882997   40.76   0.5667   33.524    -28.900
32    29.38643  50.00000  1.000000    0.00   0.0000   30.232      0.000
33   -85.92161   4.02457  1.517417   52.43   0.5564   32.362    114.863
34   -35.78994   3.94074  1.000000    0.00   0.0000   32.626      0.000
35    49.62253   1.20000  1.785896   44.20   0.5631   29.627    -74.738
36    26.67634   7.52549  1.517417   52.43   0.5564   28.309     42.107
37  -110.11920   2.01000  1.000000    0.00   0.0000   27.515      0.000
38    65.03544   4.95279  1.517417   52.43   0.5564   24.960     58.514
39   -55.64153   1.20000  1.834807   42.72   0.5636   23.612    -25.832
40    35.88288   1.00867  1.000000    0.00   0.0000   22.105      0.000
41    31.22383   3.66415  1.487490   70.23   0.5300   21.994     63.835
42 960317.48701  3.80000  1.000000    0.00   0.0000   21.723      0.000
43     0.00000  34.37500  1.608590   46.44   0.5664   31.250      0.000
44     0.00000  13.75000  1.516800   64.17   0.5347   31.250      0.000
45     0.00000            1.000000    0.00   0.0000   31.250      0.000
各種データ
ズーム比     40.00 
広角     中間     望遠
焦点距離      11.00    51.80   440.00  
Fナンバー      2.10     2.10     4.30  
半画角（度）  26.57     6.06     0.72  
像高           5.50     5.50     5.50  
レンズ全長   392.89   392.89   392.89  
BF            10.00    10.00    10.00     
d10            0.70    76.53   117.47  
d15           44.46    19.38     5.14  
d18           76.60    15.63    11.13  
d21           13.70    23.92     1.73  
入射瞳位置    79.94   383.92   1867.48  
射出瞳位置  1951.42  1951.42   1951.42  
前側主点位置  91.00   437.10   2407.20  
後側主点位置  -1.00   -41.80   -430.00  
ズームレンズ群データ
群  始面    焦点距離  レンズ構成長  前側主点位置  後側主点位置
1    1     155.37        54.34        32.37         -7.09
2   11     -35.02        16.81         2.74         -9.34
3   16     -92.82         4.95        -1.04         -4.07
4   19     -66.06         4.38         0.17         -2.24
5   22      85.40       166.94        88.95       -190.90
【手続補正３】
【補正対象書類名】明細書
【補正対象項目名】００２６
【補正方法】変更
【補正の内容】
【００２６】
（数値実施例２）
面番号    r        d        nd        νd     θgF   有効径   焦点距離
1  -171.14983   2.30000  1.720467   34.70   0.5834   80.090   -119.774
2   177.45749   2.28746  1.000000    0.00   0.0000   79.035      0.000
3   236.01533   2.30000  1.755199   27.51   0.6103   79.242   -375.984
4   128.83900  14.87124  1.438750   94.99   0.5342   78.989    151.773
5  -133.65887   0.40000  1.000000    0.00   0.0000   79.214      0.000
6   509.09651   6.21883  1.433870   95.10   0.5373   78.006    367.489
7  -232.13593   6.87237  1.000000    0.00   0.0000   77.785      0.000
8   103.80800   9.90600  1.592400   68.30   0.5456   73.793    142.512
9  -444.28300   0.15000  1.000000    0.00   0.0000   72.952      0.000
10    65.59448   6.33129  1.754998   52.32   0.5476   65.667    153.279
11   144.26241    (可変)  1.000000    0.00   0.0000   64.779      0.000
12   268.83153   1.00000  1.882997   40.76   0.5667   28.525    -18.668
13    15.58965   7.15231  1.000000    0.00   0.0000   22.559      0.000
14   -38.93639   6.07990  1.808095   22.76   0.6307   22.165     27.203
15   -15.13514   0.75000  1.882997   40.76   0.5667   22.125    -31.715
16   -33.47537    (可変)  1.000000    0.00   0.0000   22.368      0.000
17   -70.44232   4.81688  1.666800   33.05   0.5957   18.453     21.579
18   -12.34925   0.75000  1.882997   40.76   0.5667   18.154    -16.904
19   -71.58722    (可変)  1.000000    0.00   0.0000   18.633      0.000
20   -28.77581   0.75000  1.743198   49.34   0.5530   19.737    -22.926
21    42.74149   2.78000  1.846490   23.90   0.6217   21.471     49.256
22 -2742.50000    (可変)  1.000000    0.00   0.0000   22.007      0.000
23     開口絞り  1.51000  1.000000    0.00   0.0000   26.780      0.000
24   414.21688   4.60180  1.658441   50.88   0.5561   28.078     54.583
25   -39.38087   0.15000  1.000000    0.00   0.0000   28.736      0.000
26    53.26970   3.40011  1.531717   48.84   0.5630   29.505    111.348
27   497.87924   0.15000  1.000000    0.00   0.0000   29.351      0.000
28    82.13940   6.02904  1.487490   70.23   0.5300   29.199     55.427
29   -39.49401   1.00000  1.882997   40.76   0.5667   28.798    -46.691
30  -839.28643  36.60000  1.000000    0.00   0.0000   28.838      0.000
31    46.81686   6.02944  1.589130   61.14   0.5406   28.480     46.062
32   -62.03781   1.37651  1.000000    0.00   0.0000   27.947      0.000
33   -96.26089   1.00000  1.882997   40.76   0.5667   26.473    -24.270
34    27.91059   6.55668  1.496999   81.54   0.5375   25.374     45.686
35  -114.02609   0.15000  1.000000    0.00   0.0000   25.320      0.000
36    78.30964   6.08355  1.496999   81.54   0.5375   25.056     50.591
37   -36.23317   1.00000  1.834807   42.72   0.5636   24.911    -72.054
38   -91.50333   3.23521  1.000000    0.00   0.0000   25.148      0.000
39    32.62274   3.45197  1.487490   70.23   0.5300   24.845     93.684
40   109.29738   4.50000  1.000000    0.00   0.0000   24.349      0.000
41     0.00000  33.00000  1.608590   46.44   0.5664   40.000      0.000
42     0.00000  13.20000  1.516330   64.14   0.5352   40.000      0.000
43     0.00000            1.000000    0.00   0.0000   40.000      0.000
非球面データ
第12面
K = 7.78132e+001   A 4= 1.47015e-005  A 6= 5.45899e-008  
A 8=-8.38347e-010  A10=-5.58595e-012  A12= 4.36865e-015  
A 3=-5.22938e-006  A 5=-1.02484e-006  A 7= 2.40372e-009
A 9= 1.06816e-010  A11= 1.97141e-014  
第19面
K = 8.71898e-001   A 4=-5.84031e-006  A 6= 2.64588e-008  
A 8= 4.14574e-010  A10=-2.84801e-012  A12=-5.87235e-014  
A 3= 1.35724e-006  A 5=-1.43896e-006  A 7= 1.21975e-008  
A 9=-2.00667e-010  A11= 1.64421e-012  
各種データ
ズーム比     21.00 
広角     中間     望遠
焦点距離       8.00    29.55   168.00  
Fナンバー      1.90     1.90     2.70  
半画角（度）  34.51    10.54     1.88  
像高           5.50     5.50     5.50  
レンズ全長   278.66   278.66   278.66     
BF             7.54     7.54     7.54     
d11            1.04    35.48    53.91  
d16            5.84     1.39     0.86  
d19           49.14    14.35     5.95  
d22            6.37    11.16     1.67  
入射瞳位置    49.31   166.31   637.06  
射出瞳位置   446.99   446.99   446.99   
前側主点位置  57.45   197.85   869.29  
後側主点位置  -0.46   -22.01  -160.46  
ズームレンズ群データ
群  始面    焦点距離  レンズ構成長  前側主点位置  後側主点位置
1    1      69.86        51.64        33.00          1.70
2   12     -22.00        14.98        -1.69        -15.26
3   17     -68.17         5.57         0.66         -2.62
4   20     -43.35         3.53        -0.07         -2.00
5   23      58.04       133.02        64.55       -128.48
【手続補正４】
【補正対象書類名】明細書
【補正対象項目名】００２７
【補正方法】変更
【補正の内容】
【００２７】
（数値実施例３）
面番号    r        d        nd        νd     θgF   有効径    焦点距離
1  5102.38823   3.00000  1.834807   42.72   0.5636  110.000   -231.669
2   187.28481   1.07300  1.000000    0.00   0.0000  109.893      0.000
3   187.76389  14.72957  1.433870   95.10   0.5373  110.507    280.408
4  -339.77442  11.15000  1.000000    0.00   0.0000  110.810      0.000
5   213.38103   8.92462  1.433870   95.10   0.5373    112.898    527.625
6  3000.33601   0.20000  1.000000    0.00   0.0000  112.706      0.000
7   155.43069  11.30622  1.433870   95.10   0.5373  111.382    376.542
8  2981.50890   0.20000  1.000000    0.00   0.0000  110.901      0.000
9   127.62681   8.64580  1.433870   95.10   0.5373  105.887    460.035
10   345.15430    (可変)  1.000000    0.00   0.0000  105.200      0.000
11    64.62978   1.00000  1.882997   40.76   0.5667   33.011    -44.466
12    24.33474   9.16148  1.000000    0.00   0.0000   29.206      0.000
13   -38.02900   0.90000  1.816000   46.62   0.5568   28.170    -33.705
14   102.30122   0.70000  1.000000    0.00   0.0000   28.353      0.000
15    63.20647   5.95348  1.808095   22.76   0.6307   28.777     34.945
16   -49.80207    (可変)  1.000000    0.00   0.0000   28.678      0.000
17   -43.58345   1.10000  1.816000   46.62   0.5568   26.911    -57.575
18  -572.20009    (可変)  1.000000    0.00   0.0000   26.847      0.000
19   -46.96000   1.30000  1.717004   47.92   0.5606   28.966    -36.468
20    60.35394   3.26438  1.846490   23.90   0.6217   31.055     80.947
21   460.58874    (可変)  1.000000    0.00   0.0000   31.507      0.000
22     開口絞り  4.05000  1.000000    0.00   0.0000   37.855      0.000
23   226.67058   6.75742  1.607379   56.81   0.5483   41.067     70.385
24   -52.36155   0.15000  1.000000    0.00   0.0000   41.545      0.000
25  3180.72058   3.29188  1.518229   58.90   0.5456   41.483    231.404
26  -125.09849   0.35000  1.000000    0.00   0.0000   41.463      0.000
27    39.06865   9.43204  1.487490   70.23   0.5300   39.964     58.436
28   -98.06367   1.50000  1.834000   37.17   0.5774   38.962   -121.818
29 -2415.03003   0.15000  1.000000    0.00   0.0000   37.883      0.000
30    36.73108   8.30910  1.487490   70.23   0.5300   34.990     53.864
31   -86.27365   1.50000  1.882997   40.76   0.5667   33.261    -25.097
32    30.30129  50.00000  1.000000    0.00   0.0000   29.841      0.000
33  -120.62916   4.64093  1.517417   52.43   0.5564   32.292     94.501
34   -35.36457   2.54355  1.000000    0.00   0.0000   32.518      0.000
35    63.07563   1.20000  1.785896   44.20   0.5631   29.519    -82.516
36    31.79036   6.49533  1.517417   52.43   0.5564   28.362     48.173
37  -109.65039   2.01000  1.000000    0.00   0.0000   27.637      0.000
38    76.16107   5.44373  1.517417   52.43   0.5564   25.095     48.054
39   -36.25647   1.20000  1.834807   42.72   0.5636   23.809    -24.462
40    48.07162   0.66799  1.000000    0.00   0.0000   22.801      0.000
41    33.72522   4.04093  1.487490   70.23   0.5300   22.915     69.490
42  4144.43983   3.80000  1.000000    0.00   0.0000   22.552      0.000
43     0.00000  34.37500  1.608590   46.44   0.5664   31.250      0.000
44     0.00000  13.75000  1.516800   64.17   0.5347   31.250      0.000
45     0.00000            1.000000    0.00   0.0000   31.250      0.000
各種データ
ズーム比     41.00 
広角     中間     望遠
焦点距離      11.00    47.89   451.00  
Fナンバー      2.10     2.10     4.10  
半画角（度）  26.57     6.55     0.70  
像高           5.50     5.50     5.50  
レンズ全長   399.24   399.24   399.24    
BF            10.21    10.21    10.21    
d10            0.71    80.61   123.61  
d16            2.83     2.42     2.20  
d18          127.10    36.96    13.65  
d21           10.12    20.77     1.30  
入射瞳位置    78.04   391.22   2079.32  
射出瞳位置  1135.49  1135.49   1135.49  
前側主点位置  89.15   441.15   2711.07  
後側主点位置  -0.79   -37.68   -440.79  
ズームレンズ群データ
群  始面    焦点距離  レンズ構成長  前側主点位置  後側主点位置
1    1     161.84        59.23        34.36         -8.84
2   11     -53.00        17.71        -4.28        -21.22
3   17     -57.58         1.10        -0.05         -0.65
4   19     -66.60         4.56         0.20         -2.31
5   22      85.33       165.66        91.22       -185.82
【手続補正５】
【補正対象書類名】明細書
【補正対象項目名】００２８
【補正方法】変更
【補正の内容】
【００２８】
（数値実施例４）
面番号    r        d        nd        νd     θgF   有効径    焦点距離
1   879.78860   3.00000  1.834000   37.16   0.5775  103.530   -331.211
2   210.91583   1.07300  1.000000    0.00   0.0000  100.939      0.000
3   204.89062  13.40186  1.433870   95.10   0.5373  100.675    264.443
4  -257.03877  11.15000  1.000000    0.00   0.0000  100.006      0.000
5   348.68783   3.46641  1.433870   95.10   0.5373   94.100   1195.536
6  1055.17335   0.20000  1.000000    0.00   0.0000   93.921      0.000
7   136.60199   7.88454  1.433870   95.10   0.5373   92.790    382.491
8   750.13053   0.20000  1.000000    0.00   0.0000   92.406      0.000
9    94.02689   5.92474  1.433870   95.10   0.5373   88.362    518.391
10   158.20304    (可変)  1.000000    0.00   0.0000   87.703      0.000
11    66.74049   1.00000  1.882997   40.76   0.5667   37.859    -48.606
12    26.02891  11.81466  1.000000    0.00   0.0000   33.129      0.000
13   -33.69197   0.90000  1.754998   52.32   0.5476   31.757    -31.957
14    87.36237   0.70000  1.000000    0.00   0.0000   32.444      0.000
15    64.57951   5.11927  1.808095   22.76   0.6307   33.115     50.406
16  -109.40349    (可変)  1.000000    0.00   0.0000   33.149      0.000
17   -66.11091   1.10000  1.754998   52.32   0.5476   22.514   -138.389
18  -179.89846    (可変)  1.000000    0.00   0.0000   22.857      0.000
19   -48.94834   1.30000  1.717004   47.92   0.5606   26.191    -35.312
20    53.57949   3.10303  1.846490   23.90   0.6217   27.954     75.262
21   311.92162    (可変)  1.000000    0.00   0.0000   28.405      0.000
22     開口絞り  2.32000  1.000000    0.00   0.0000   37.555      0.000
23  -687.46539   5.75388  1.607379   56.81   0.5483   38.861     80.697
24   -46.07638   0.15000  1.000000    0.00   0.0000   39.507      0.000
25   446.76793   3.57385  1.518229   58.90   0.5456   39.989    187.196
26  -124.21784   0.35000  1.000000    0.00   0.0000   40.037      0.000
27    38.74021   9.05122  1.487490   70.23   0.5300   39.148     61.353
28  -122.96118   1.50000  1.834000   37.17   0.5774   38.133   -280.305
29  -259.02329   0.15000  1.000000    0.00   0.0000   37.449      0.000
30    33.05486   8.27880  1.487490   70.23   0.5300   33.619     49.959
31   -86.02558   1.50000  1.882997   40.76   0.5667   31.731    -22.488
32    26.22574  50.00000  1.000000    0.00   0.0000   27.889      0.000
33   -89.97175   3.76418  1.517417   52.43   0.5564   29.233     97.312
34   -32.84097   7.47540  1.000000    0.00   0.0000   29.428      0.000
35    63.84553   1.20000  1.882997   40.76   0.5667   25.320    -44.837
36    24.30827   5.45573  1.496999   81.54   0.5375   24.161     45.455
37  -308.71994   2.01000  1.000000    0.00   0.0000   24.079      0.000
38    83.83571   2.54773  1.496999   81.54   0.5375   23.796    262.225
39   231.42358   1.20000  1.882997   40.76   0.5667   23.484   -139.108
40    80.35072   3.11650  1.000000    0.00   0.0000   23.231      0.000
41    94.33579   2.88588  1.548141   45.79   0.5685   23.186     88.664
42  -100.22121   3.80000  1.000000    0.00   0.0000   23.039      0.000
43     0.00000  34.37500  1.608590   46.44   0.5664   31.250      0.000
44     0.00000  13.75000  1.516800   64.17   0.5347   31.250      0.000
45     0.00000            1.000000    0.00   0.0000   31.250      0.000
各種データ
ズーム比     20.00 
広角     中間     望遠
焦点距離      11.00    50.29   220.00  
Fナンバー      2.10     2.10     2.31  
半画角（度）  26.57     6.24     1.43  
像高           5.50     5.50     5.50  
レンズ全長   379.80   379.80   379.80     
BF             7.80     7.80     7.80     
d10            2.28    78.76   113.08  
d16           60.23     8.76     2.04  
d18           59.38    27.21     3.78  
d21           14.56    21.73    17.55  
入射瞳位置    79.50   397.83   1263.01  
射出瞳位置   246.53   246.53    246.53   
前側主点位置  91.01   458.71   1685.76  
後側主点位置  -3.20   -42.48   -212.20  
ズームレンズ群データ
群  始面    焦点距離  レンズ構成長  前側主点位置  後側主点位置
1    1     161.84        46.30        24.29        -10.98
2   11     -31.00        19.53         3.22        -13.12
3   17    -138.39         1.10        -0.36         -0.99
4   19     -66.60         4.40         0.32         -2.10
5   22     132.78       164.21       175.76       -296.48
【手続補正６】
【補正対象書類名】明細書
【補正対象項目名】００２９
【補正方法】変更
【補正の内容】
【００２９】
（数値実施例５）
面番号    r        d        nd        νd     θgF    有効径   焦点距離
1   167.82920   2.60000  1.772499   49.60   0.5521   84.856    -54.064
2    33.34366  16.68772  1.000000    0.00   0.0000   60.721      0.000
3   129.27294   1.85000  1.772499   49.60   0.5521   60.272   -126.308
4    55.40704  13.20856  1.000000    0.00   0.0000   56.790      0.000
5  -121.26919   1.75000  1.772499   49.60   0.5521   56.624    -85.050
6   145.80838   0.15000  1.000000    0.00   0.0000   57.929      0.000
7    87.85305   8.69701  1.846660   23.78   0.6205   59.522     90.560
8  -622.99406   1.07862  1.000000    0.00   0.0000   59.476      0.000
9  1050.48055   7.90308  1.651597   58.55   0.5426   59.228    106.094
10   -74.10212   7.82883  1.000000    0.00   0.0000   59.061      0.000
11 -3394.45989   7.58594  1.455999   90.33   0.5340   53.433    138.880
12   -62.37446   1.80000  1.755199   27.51   0.6103   53.351   -131.832
13  -166.70918   0.15000  1.000000    0.00   0.0000   54.037      0.000
14  -559.13320   1.80000  1.720467   34.70   0.5834   53.980    -62.187
15    49.13453  12.52332  1.496999   81.54   0.5375   54.562     80.854
16  -205.18220   0.20000  1.000000    0.00   0.0000   55.340      0.000
17   258.42395   8.74986  1.618000   63.33   0.5441   56.627    101.970
18   -82.66967   0.30000  1.000000    0.00   0.0000   56.905      0.000
19    68.91121   9.88928  1.618000   63.33   0.5441   54.179     82.718
20  -189.87964    (可変)  1.000000    0.00   0.0000   53.002      0.000
21    47.04414   0.93673  1.882997   40.78   0.5668   23.901    -23.999
22    14.53115   7.05633  1.000000    0.00   0.0000   20.147      0.000
23   -25.26984   0.93673  1.834890   42.60   0.5635   19.648    -37.120
24  -135.87048   1.70823  1.000000    0.00   0.0000   19.996      0.000
25  -955.17709   5.87302  1.761821   26.52   0.6135   20.252     22.497
26   -17.02862   0.93673  1.834890   42.60   0.5635   20.454    -51.338
27   -28.85732    (可変)  1.000000    0.00   0.0000   20.777      0.000
28   279.15051   4.02560  1.575006   41.50   0.5766   18.536     30.624
29   -18.80938   0.93673  1.799620   42.10   0.5661   18.266    -22.718
30   648.68229    (可変)  1.000000    0.00   0.0000   18.644      0.000
31   -30.70263   0.75000  1.756998   47.82   0.5566   19.353    -20.997
32    33.64820   2.82303  1.808095   22.76   0.6307   20.871     40.765
33 -2945.01546    (可変)  1.000000    0.00   0.0000   21.269      0.000
34    開口絞り   1.37000  1.000000    0.00   0.0000   24.300      0.000
35   402.06399   3.47000  1.717004   47.92   0.5606   25.320     68.811
36   -56.35273   0.20000  1.000000    0.00   0.0000   25.912      0.000
37   133.18464   2.77000  1.648498   53.02   0.5548   26.481    140.491
38  -290.12517   0.20000  1.000000    0.00   0.0000   26.599      0.000
39    50.87391   7.01000  1.516330   64.14   0.5352   26.707     40.713
40   -34.35575   1.30000  1.834807   42.72   0.5636   26.307    -44.420
41  -444.37437  32.40000  1.000000    0.00   0.0000   26.382      0.000
42   283.18758   4.55762  1.516330   64.14   0.5352   25.976     67.977
43   -40.01320   0.19029  1.000000    0.00   0.0000   25.893      0.000
44  -185.69171   1.20000  1.882997   40.76   0.5667   25.047    -22.461
45    22.41764   8.15928  1.522494   59.84   0.5439   24.415     33.587
46   -72.00469   0.19922  1.000000    0.00   0.0000   25.370      0.000
47    36.78062   7.10311  1.518229   58.90   0.5456   26.264     35.503
48   -34.65986   1.20000  1.882997   40.76   0.5667   26.032    -31.880
49   157.17687   0.19805  1.000000    0.00   0.0000   26.337      0.000
50    39.04729   6.14142  1.487490   70.23    0.5300  26.925     45.842
51   -49.94778   4.00000  1.000000    0.00   0.0000   26.821      0.000
52     0.00000  33.00000  1.608590   46.44   0.5664   40.000      0.000
53     0.00000  13.20000  1.516330   64.15   0.5352   40.000      0.000
54     0.00000            1.000000    0.00   0.0000   40.000      0.000
非球面データ
第2面
K = 8.74170e+000   A 4= 1.68104e-006  A 6=-3.05094e-011
A 8= 3.91384e-012  A10= 7.05181e-015  A12= 6.09811e-019  
A 3=-1.74000e-006  A 5=-3.78471e-008  A 7=-1.26804e-011  
A 9=-2.40407e-013  A11=-1.03733e-016  
第11面
K =-2.13660e+000   A 4= 1.85266e-007  A 6= 3.54426e-010  
A 8= 4.11993e-013  A10= 9.77843e-016  A12=-7.92723e-019  
A 3=-2.68363e-007  A 5=-6.43186e-009  A 7=-1.05604e-011  
A 9=-5.03800e-014  A11= 3.09873e-017  
第31面
K =-1.38539e+002   A 4=-1.16793e-005  A 6= 1.52624e-007  
A 8= 2.62891e-010  A10=-7.24269e-012  A12= 2.18062e-015  
A 3= 8.22268e-006  A 5=-5.41608e-007  A 7=-9.87706e-009  
A 9=-9.29218e-012  A11= 5.78555e-013  
各種データ
ズーム比     10.00 
広角     中間     望遠
焦点距離       4.70    20.56    47.00  
Fナンバー      1.90     1.90     2.24  
半画角（度）  49.48    14.97     6.67  
像高           5.50     5.50     5.50 
レンズ全長   316.68   316.68   316.68  
BF             8.17     8.17     8.17   
d21            0.48    33.28    41.66  
d28            3.17     0.77     0.16  
d31           38.78     7.22     7.17  
d34            7.47     8.63     0.92  
入射瞳位置    35.10    61.93    92.52  
射出瞳位置   248.44   248.44   248.44   
前側主点位置  39.89    84.25   148.72  
後側主点位置   3.47   -12.39   -38.83  
ズームレンズ群データ
群  始面    焦点距離  レンズ構成長  前側主点位置  後側主点位置
1    1      27.39       104.75        46.72         36.44
2   22     -30.00        17.45        -4.21        -22.72
3   29     -90.00         4.96         3.10          0.01
4   32     -43.83         3.57        -0.05         -2.04
5   35      57.91       127.87        68.77       -118.31